(57)【要約】【課題】紹介する商品の決済方法を指定し、指定した決済方法で商品が購入された場合に、商品の紹介者に決済方法に応じた報酬を支払う。【解決手段】アフィリエイトサーバー１０は、ユーザー端末５０から受け付けた、商品を識別する商品識別データと、商品の紹介者を識別する紹介者識別データと、商品の購入に用いる決済方法を指定する決済方法指定データを含むページ要求に応じて提供される商品ページを介して、ユーザー端末５０から取得される当該商品ページに係る商品の注文情報に係る決済を前記決済方法指定データに指定される決済方法で実行した場合に、前記商品識別データ及び前記紹介者識別データを関連づけて記憶し、記憶される紹介者識別データ毎に、当該紹介者識別データに関連づけられる商品識別データに基づいて報酬額を算出する。【選択図】図１
2012014469.tif 000002
【特許請求の範囲】
【請求項１】
商品を識別する商品識別データと、前記商品の紹介者を識別する紹介者識別データと、前記商品の購入に用いる決済方法を指定する決済方法指定データとをユーザー端末から受け付ける受付手段と、
前記商品識別データにより識別される商品の注文情報を前記ユーザー端末から取得する取得手段と、
前記取得手段により取得される注文情報に係る決済処理が前記決済方法指定データに指定される決済方法で実行された場合に、前記紹介者識別データに関連づけて報酬額を算出する算出手段と、を含む
ことを特徴とする紹介者報奨システム。
【請求項２】
前記ユーザー端末から取得されるデータに基づいて前記取得手段により取得される注文情報に係る決済方法を設定し、注文を確定させる注文確定手段をさらに含む
ことを特徴とする請求項１に記載の紹介者報奨システム。
【請求項３】
ユーザーを識別するユーザー識別情報毎に予め登録された決済方法を示す決済情報を関連づけて記憶するユーザー情報記憶手段と、
前記ユーザー端末から取得するデータに基づいてユーザー識別情報を特定する特定手段と、をさらに含み、
前記注文確定手段は、前記特定手段により特定されたユーザー識別情報に関連づけて前記ユーザー情報記憶手段に記憶される決済情報に、前記決済方法指定データに指定される決済方法がある場合に、当該指定される決済方法を前記注文情報に係る決済方法に設定する
ことを特徴とする請求項２に記載の紹介者報奨システム。
【請求項４】
前記注文確定手段は、前記指定される決済方法から他の決済方法への変更を制限する
ことを特徴とする請求項３に記載の紹介者報奨システム。
【請求項５】
前記注文確定手段は、前記特定手段により特定されたユーザー識別情報に関連づけて前記ユーザー情報記憶手段に記憶される決済情報に、前記決済方法指定データに指定される決済方法がない場合には、前記ユーザー端末から受け付けた決済情報に基づいて決済方法を設定する
ことを特徴とする請求項３又は４のいずれかに記載の紹介者報奨システム。
【請求項６】
前記注文確定手段は、前記ユーザー端末から取得される、前記決済方法指定データに指定される決済方法に係る決済情報に基づいて、前記取得手段により取得される注文情報に係る決済方法に当該指定される決済方法を設定する
ことを特徴とする請求項２に記載の紹介者報奨システム。
【請求項７】
前記注文確定手段は、前記決済方法指定データに指定される決済方法がクレジットカード決済、銀行振込決済、口座引落決済又は電子マネー決済である場合に、当該指定される決済方法による決済処理が完了したときに前記注文を確定させる
ことを特徴とする請求項２乃至６のいずれかに記載の紹介者報奨システム。
【請求項８】
前記取得手段により取得される注文情報に係る決済処理が前記決済方法指定データに指定される決済方法で実行された場合に、前記商品識別データ及び前記紹介者識別データを関連づけて記憶手段に記憶する手段をさらに含み、
前記算出手段は、前記記憶手段に記憶される紹介者識別データ毎に、当該紹介者識別データに関連づけられる商品識別データに基づいて報酬額を算出する
ことを特徴とする請求項１乃至７のいずれかに記載の紹介者報奨システム。
【請求項９】
前記記憶する手段は、前記決済方法指定データに指定される決済方法で決済処理が実行されたことを示す指定決済実行情報を、前記商品識別データ及び前記紹介者識別データに関連づけて前記記憶手段に記憶し、
前記算出手段は、前記記憶手段に記憶される前記商品識別データに前記指定決済実行情報が関連づけられる場合には前記指定決済実行情報が関連づけられていない場合に比べて高い重みを乗じて前記報酬額を算出する
ことを特徴とする請求項８に記載の紹介者報奨システム。
【請求項１０】
前記受付手段は、前記商品識別データと、前記紹介者識別データと、前記決済方法指定データとを含むページ要求をユーザー端末から受け付け、
前記取得手段は、前記受付手段により受け付けるページ要求に応じて提供される商品ページを介して、当該商品ページに係る商品の注文情報を前記ユーザー端末から取得する
ことを特徴とする請求項１乃至９のいずれかに記載の紹介者報奨システム。
【請求項１１】
商品を識別する商品識別データと、前記商品の紹介者を識別する紹介者識別データと、前記商品の購入に用いる決済方法を指定する決済方法指定データとをユーザー端末から受け付ける受付ステップと、
前記商品識別データにより識別される商品の注文情報を前記ユーザー端末から取得する取得ステップと、
前記取得ステップで取得される注文情報に係る決済処理が前記決済方法指定データに指定される決済方法で実行された場合に、前記紹介者識別データに関連づけて報酬額を算出する算出ステップと、を含む
ことを特徴とする紹介者報奨方法。
【請求項１２】
ユーザー端末から受け付けた、商品を識別する商品識別データと、前記商品の紹介者を識別する紹介者識別データと、前記商品の購入に用いる決済方法を指定する決済方法指定データとを含むページ要求に応じて提供される商品ページを介して、前記ユーザー端末から取得される当該商品ページに係る商品の注文情報に係る決済処理が前記決済方法指定データに指定される決済方法で実行された場合に、前記商品識別データ及び前記紹介者識別データを関連づけて記憶手段に記憶する手段と、
前記記憶手段に記憶される紹介者識別データ毎に、当該紹介者識別データに関連づけられる商品識別データに基づいて報酬額を算出する算出手段と、を含む
ことを特徴とする紹介者報奨装置。
【請求項１３】
ユーザー端末から受け付けた、商品を識別する商品識別データと、前記商品の紹介者を識別する紹介者識別データと、前記商品の購入に用いる決済方法を指定する決済方法指定データとを含むページ要求に応じて提供される商品ページを介して、前記ユーザー端末から取得される当該商品ページに係る商品の注文情報に係る決済処理が前記決済方法指定データに指定される決済方法で実行された場合に、前記商品識別データ及び前記紹介者識別データを関連づけて記憶手段に記憶する手段と、
前記記憶手段に記憶される紹介者識別データ毎に、当該紹介者識別データに関連づけられる商品識別データに基づいて報酬額を算出する算出手段
としてコンピュータを機能させるためのプログラム。
【請求項１４】
ユーザー端末から受け付けた、商品を識別する商品識別データと、前記商品の紹介者を識別する紹介者識別データと、前記商品の購入に用いる決済方法を指定する決済方法指定データとを含むページ要求に応じて提供される商品ページを介して、前記ユーザー端末から取得される当該商品ページに係る商品の注文情報に係る決済処理が前記決済方法指定データに指定される決済方法で実行された場合に、前記商品識別データ及び前記紹介者識別データを関連づけて記憶手段に記憶する手段と、
前記記憶手段に記憶される紹介者識別データ毎に、当該紹介者識別データに関連づけられる商品識別データに基づいて報酬額を算出する算出手段
としてコンピュータを機能させるためのプログラムを記録した情報記録媒体。
【発明の詳細な説明】
【技術分野】
【０００１】
本発明は、紹介者報奨システム、紹介者報奨方法、紹介者報奨装置、プログラム及び情報記録媒体に関する。
【背景技術】
【０００２】
ウェブサイトや電子メールに商品を購買するサイトへのリンクとして機能する広告を掲載して、当該広告を経由してユーザーが商品を購入した場合に、当該広告を掲載して商品を紹介した紹介者に報酬を支払うアフィリエイトと呼ばれるシステムがある（例えば、下記特許文献１を参照）。
【先行技術文献】
【特許文献】
【０００３】
【特許文献１】特開２００９−２２３９１９号公報
【発明の概要】
【発明が解決しようとする課題】
【０００４】
しかしながら、従来のアフィリエイトシステムでは、紹介する商品の決済方法を指定し、指定した決済方法で商品が購入された場合に、決済方法に応じた報酬を支払うことはできなかった。
【０００５】
本発明は上記の課題に鑑みてなされたものであって、その目的は、紹介する商品の決済方法を指定し、指定した決済方法で商品が購入された場合に、商品の紹介者に決済方法に応じた報酬を支払うことにある。
【課題を解決するための手段】
【０００６】
上記目的を達成するために、本発明に係る紹介者報奨システムは、商品を識別する商品識別データと、前記商品の紹介者を識別する紹介者識別データと、前記商品の購入に用いる決済方法を指定する決済方法指定データとをユーザー端末から受け付ける受付手段と、前記商品識別データにより識別される商品の注文情報を前記ユーザー端末から取得する取得手段と、前記取得手段により取得される注文情報に係る決済処理が前記決済方法指定データに指定される決済方法で実行された場合に、前記紹介者識別データに関連づけて報酬額を算出する算出手段と、を含むことを特徴とする。
【０００７】
また、本発明の一態様では、前記紹介者報奨システムは、前記ユーザー端末から取得されるデータに基づいて前記取得手段により取得される注文情報に係る決済方法を設定し、注文を確定させる注文確定手段をさらに含むことを特徴とする。
【０００８】
また、本発明の一態様では、前記紹介者報奨システムは、ユーザーを識別するユーザー識別情報毎に予め登録された決済方法を示す決済情報を関連づけて記憶するユーザー情報記憶手段と、前記ユーザー端末から取得するデータに基づいてユーザー識別情報を特定する特定手段と、をさらに含み、前記注文確定手段は、前記特定手段により特定されたユーザー識別情報に関連づけて前記ユーザー情報記憶手段に記憶される決済情報に、前記決済方法指定データに指定される決済方法がある場合に、当該指定される決済方法を前記注文情報に係る決済方法に設定することとする。
【０００９】
また、本発明の一態様では、前記注文確定手段は、前記指定される決済方法から他の決済方法への変更を制限することとする。
【００１０】
また、本発明の一態様では、前記注文確定手段は、前記特定手段により特定されたユーザー識別情報に関連づけて前記ユーザー情報記憶手段に記憶される決済情報に、前記決済方法指定データに指定される決済方法がない場合には、前記ユーザー端末から受け付けた決済情報に基づいて決済方法を設定することとする。
【００１１】
また、本発明の一態様では、前記注文確定手段は、前記ユーザー端末から取得される、前記決済方法指定データに指定される決済方法に係る決済情報に基づいて、前記取得手段により取得される注文情報に係る決済方法に当該指定される決済方法を設定することとする。
【００１２】
また、本発明の一態様では、前記注文確定手段は、前記決済方法指定データに指定される決済方法がクレジットカード決済、銀行振込決済、口座引落決済又は電子マネー決済である場合に、当該指定される決済方法による決済処理が完了したときに前記注文を確定させることとする。
【００１３】
また、本発明の一態様では、前記紹介者報奨システムは、前記取得手段により取得される注文情報に係る決済処理が前記決済方法指定データに指定される決済方法で実行された場合に、前記商品識別データ及び前記紹介者識別データを関連づけて記憶手段に記憶する手段をさらに含み、前記算出手段は、前記記憶手段に記憶される紹介者識別データ毎に、当該紹介者識別データに関連づけられる商品識別データに基づいて報酬額を算出することとする。
【００１４】
また、本発明の一態様では、前記記憶する手段は、前記決済方法指定データに指定される決済方法で決済処理が実行されたことを示す指定決済実行情報を、前記商品識別データ及び前記紹介者識別データに関連づけて前記記憶手段に記憶し、前記算出手段は、前記記憶手段に記憶される前記商品識別データに前記指定決済実行情報が関連づけられる場合には前記指定決済実行情報が関連づけられていない場合に比べて高い重みを乗じて前記報酬額を算出することとする。
【００１５】
また、本発明の一態様では、前記受付手段は、前記商品識別データと、前記紹介者識別データと、前記決済方法指定データとを含むページ要求をユーザー端末から受け付け、前記取得手段は、前記受付手段により受け付けるページ要求に応じて提供される商品ページを介して、当該商品ページに係る商品の注文情報を前記ユーザー端末から取得することとする。
【００１６】
また、本発明に係る紹介者報奨方法は、商品を識別する商品識別データと、前記商品の紹介者を識別する紹介者識別データと、前記商品の購入に用いる決済方法を指定する決済方法指定データとをユーザー端末から受け付ける受付ステップと、前記商品識別データにより識別される商品の注文情報を前記ユーザー端末から取得する取得ステップと、前記取得ステップで取得される注文情報に係る決済処理が前記決済方法指定データに指定される決済方法で実行された場合に、前記紹介者識別データに関連づけて報酬額を算出する算出ステップと、を含むことを特徴とする。
【００１７】
また、本発明に係る紹介者報奨装置は、ユーザー端末から受け付けた、商品を識別する商品識別データと、前記商品の紹介者を識別する紹介者識別データと、前記商品の購入に用いる決済方法を指定する決済方法指定データとを含むページ要求に応じて提供される商品ページを介して、前記ユーザー端末から取得される当該商品ページに係る商品の注文情報に係る決済処理が前記決済方法指定データに指定される決済方法で実行された場合に、前記商品識別データ及び前記紹介者識別データを関連づけて記憶手段に記憶する手段と、前記記憶手段に記憶される紹介者識別データ毎に、当該紹介者識別データに関連づけられる商品識別データに基づいて報酬額を算出する算出手段と、を含むことを特徴とする。
【００１８】
また、本発明に係るプログラムは、ユーザー端末から受け付けた、商品を識別する商品識別データと、前記商品の紹介者を識別する紹介者識別データと、前記商品の購入に用いる決済方法を指定する決済方法指定データとを含むページ要求に応じて提供される商品ページを介して、前記ユーザー端末から取得される当該商品ページに係る商品の注文情報に係る決済処理が前記決済方法指定データに指定される決済方法で実行された場合に、前記商品識別データ及び前記紹介者識別データを関連づけて記憶手段に記憶する手段と、前記記憶手段に記憶される紹介者識別データ毎に、当該紹介者識別データに関連づけられる商品識別データに基づいて報酬額を算出する算出手段としてコンピュータを機能させるためのプログラムである。
【００１９】
また、本発明に係る情報記録媒体は、ユーザー端末から受け付けた、商品を識別する商品識別データと、前記商品の紹介者を識別する紹介者識別データと、前記商品の購入に用いる決済方法を指定する決済方法指定データとを含むページ要求に応じて提供される商品ページを介して、前記ユーザー端末から取得される当該商品ページに係る商品の注文情報に係る決済処理が前記決済方法指定データに指定される決済方法で実行された場合に、前記商品識別データ及び前記紹介者識別データを関連づけて記憶手段に記憶する手段と、前記記憶手段に記憶される紹介者識別データ毎に、当該紹介者識別データに関連づけられる商品識別データに基づいて報酬額を算出する算出手段としてコンピュータを機能させるためのプログラムを記録した情報記録媒体である。
【発明の効果】
【００２０】
本発明の一態様によれば、紹介する商品の決済方法を指定し、指定した決済方法で商品が購入された場合に、商品の紹介者に決済方法に応じた報酬を支払うことができる。
【図面の簡単な説明】
【００２１】
【図１】本実施形態に係る電子商取引システムのシステム構成図である。
【図２】電子商取引システムで行われる処理のシーケンス図である。
【図３】商品紹介ページの一例を示す図である。
【図４】商品ページの一例を示す図である。
【図５】買い物かごページの一例を示す図である。
【図６】ログインページの一例を示す図である。
【図７Ａ】決済方法選択ページの一例を示す図である。
【図７Ｂ】決済方法選択ページの一例を示す図である。
【図８】注文内容確認ページの一例を示す図である。
【図９】注文完了ページの一例を示す図である。
【図１０】アフィリエイトサーバー、仮想商店街サーバー、買い物かごサーバー、及び受注サーバーのそれぞれの機能ブロック図である。
【図１１】商品紹介情報テーブルの一例を示す図である。
【図１２】商品情報テーブルの一例を示す図である。
【図１３】ユーザー情報テーブルの一例を示す図である。
【発明を実施するための形態】
【００２２】
以下、本発明を実施するための形態（以下、実施形態）を、図面に従って説明する。
【００２３】
図１には、本実施形態に係る電子商取引システム１のシステム構成図を示した。図１に示されるように、電子商取引システム１は、アフィリエイトサーバー１０、仮想商店街サーバー２０、買い物かごサーバー３０、受注サーバー４０を含み、アフィリエイトサーバー１０、仮想商店街サーバー２０、買い物かごサーバー３０、受注サーバー４０及びユーザー端末５０はそれぞれインターネット等のネットワーク６０を介して相互にデータ通信可能に接続される。
【００２４】
ユーザー端末５０は、ユーザー（商品購入者）により操作されるコンピュータであり、ユーザー端末５０ではブラウザ等のアプリケーションを起動して、起動したアプリケーションに従って仮想商店街サーバー２０、買い物かごサーバー３０、受注サーバー４０とのデータ通信を行う。
【００２５】
アフィリエイトサーバー１０は、予め登録された紹介者毎の商品の紹介履歴情報を管理し、紹介者毎の紹介履歴情報に基づいて報酬額を算出するコンピュータである。
【００２６】
仮想商店街サーバー２０は、１又は複数の店舗が販売する商品情報を保持し、ユーザー端末５０から送信されるページ要求に応じた商品ページを提供するコンピュータである。
【００２７】
買い物かごサーバー３０は、商品ページを介してユーザーが購入しようとする商品を格納する買い物かご情報を生成、管理するコンピュータである。
【００２８】
受注サーバー４０は、ユーザーの買い物かご情報に基づく注文を受け付けて、注文を確定させるコンピュータである。
【００２９】
まず、図２に示した電子商取引システム１で行われる処理のシーケンス図、及び図３乃至図９に示した表示画面例を参照しながら、電子商取引システム１で行われる処理の概要を説明する。
【００３０】
ユーザー端末５０は、ネットワーク６０を介して、商品を紹介する商品紹介ページにアクセスする（Ｓ１００１）。商品紹介ページは、ウェブページや電子メールとしてよく、その態様は特に限定されない。
【００３１】
図３には、商品紹介ページの一例を示した。図３に示されるように、商品紹介ページには、仮想商店街サーバー２０により提供される商品ページへのリンクとして機能するアフィリエイトモジュール５００が含まれる。アフィリエイトモジュール５００は、商品名、商品の画像、及び紹介文等の表示情報と、表示情報に設定されたリンク情報を含み構成されることとしてよい。リンク情報（ＵＲＬ）は、商品ページへのリンクに加えて、紹介者を識別する紹介者ＩＤと、紹介する商品の決済方法を指定する決済方法指定データを引数（パラメータ）として含むこととしてよい。決済方法指定データにより指定される決済方法は、所定のクレジットカード会社のクレジットカード決済、所定の電子マネーによる電子マネー決済、銀行振込（口座振替）、代引き決済、コンビニエンスストア決済等の各種の決済方法のいずれか１つ又は複数としてよい。
【００３２】
商品紹介ページのアフィリエイトモジュール５００が押下されると、ユーザー端末５０はアフィリエイトモジュール５００のリンク情報に基づいて、仮想商店街サーバー２０にアクセスする（Ｓ１００２）。仮想商店街サーバー２０は、ユーザー端末５０から送信されたリンク情報に基づいて特定した商品ページをユーザー端末５０に送信する（Ｓ１００３）。
【００３３】
図４には、商品ページの一例を示した。商品ページの「買い物かごに入れる」ボタンが押下されると、ユーザー端末５０から押下された商品の商品ＩＤ、紹介者ＩＤ、及び決済方法指定データを含むデータが買い物かごサーバー３０に送信される（Ｓ１００４）。
【００３４】
買い物かごサーバー３０は、ユーザー端末５０から受信した商品ＩＤに基づき特定した商品情報を買い物かご情報に登録し、買い物かごページを生成してユーザー端末５０に送信する（Ｓ１００５）。
【００３５】
図５には、買い物かごページの一例を示した。買い物かごページの「ご注文手続きへ」ボタンが押下されると、受注サーバー４０に、買い物かご情報と紹介者ＩＤ及び決済方法指定データを含むデータが送信され（Ｓ１００６）、ユーザーが受注サーバー４０にログインしていない場合には、例えば図６に示すログインページを表示させる（Ｓ１００７）。ログインページにユーザーＩＤ、パスワードの認証情報が入力され「次へ」ボタンが押下されると、認証情報がユーザー端末５０から受注サーバー４０に送信される（Ｓ１００８）。受注サーバー４０は、ユーザー端末５０から受信した認証情報による認証を行い（Ｓ１００９）、ユーザーを特定する。
【００３６】
ここで、特定されたユーザーについて予め登録された決済方法に、決済方法指定データに指定された決済方法が含まれている場合には（Ｓ１０１０：Ｙ）、受注サーバー４０は、例えば図７Ａに示される第１の決済方法選択ページを生成し、ユーザー端末５０に送信する（Ｓ１０１１）。
【００３７】
図７Ａに示される決済方法選択ページの例では、決済方法指定データに指定される決済方法が選択され、他の決済方法への変更が制限される。一方で、特定されたユーザーについて予め登録された決済方法に、決済方法指定データに指定された決済方法が含まれていない場合には（Ｓ１０１０：Ｎ）、受注サーバー４０は、例えば図７Ｂに示される第２の決済方法選択ページを生成し、ユーザー端末５０に送信する（Ｓ１０１１）。図７Ｂに示される決済方法選択ページの例では、決済方法が未選択であり、表示されるいずれの決済方法も選択が可能となる。
【００３８】
決済方法選択ページにおいて決済方法が選択された状態で、「次へ」が押下されると、注文情報が受注サーバー４０に送信され（Ｓ１０１２）、受注サーバー４０からは受信した注文情報を確認する注文内容確認ページがユーザー端末５０に送信される（Ｓ１０１３）。
【００３９】
図８には、注文内容確認ページの一例を示した。注文内容確認ページの「この内容で注文する」ボタンが押下されると、注文内容確認情報が受注サーバー４０に送信され（Ｓ１０１４）、ユーザー端末５０には図９に示される注文完了ページが送信される（Ｓ１０１５）。
【００４０】
受注サーバー４０は、ユーザーから受け付けた注文が確定した後に、当該注文に係る商品ＩＤと、当該注文についてユーザー端末５０から受信した紹介者ＩＤと、当該注文を決済方法指定データに指定された決済方法で実行したか否かを示す指定決済利用フラグと含む商品紹介情報をアフィリエイトサーバー１０に送信する（Ｓ１０１６）。
【００４１】
アフィリエイトサーバー１０は、受注サーバー４０から受信した商品紹介情報（商品ＩＤ、紹介者ＩＤ、指定決済利用フラグ）を記憶する（Ｓ１０１７）。そして、アフィリエイトサーバー１０は、所定期間の経過後に、記憶された商品紹介情報を参照し、紹介者ＩＤ毎の報酬額を、当該紹介者ＩＤに関連づけて記憶される商品ＩＤ及び指定決済利用フラグに基づいて算出する（Ｓ１０１８）。
【００４２】
以上の処理を実現するために、アフィリエイトサーバー１０、仮想商店街サーバー２０、買い物かごサーバー３０、及び受注サーバー４０に備えられる機能の一例について説明する。
【００４３】
図１０には、アフィリエイトサーバー１０、仮想商店街サーバー２０、買い物かごサーバー３０、及び受注サーバー４０のそれぞれの機能ブロック図を示した。以下、各サーバーについて備えられた機能の詳細について説明する。
【００４４】
アフィリエイトサーバー１０は、紹介者情報記憶部１００、商品紹介情報取得部１０２、商品紹介情報記憶部１０４、及び報酬額算出部１０６を備える。上記各部の機能は、ＣＰＵ（Central Processing Unit）等の制御手段、半導体メモリや磁気ディスク装置等の記憶手段、ネットワークインターフェース等の通信手段を備えるコンピュータにおいて、記憶手段に記憶されるプログラムを制御手段が順次実行することにより実現されることとしてよい。プログラムは、光ディスク、磁気ディスク、磁気テープ、光磁気ディスク、フラッシュメモリ等の情報記録媒体に格納された状態でアフィリエイトサーバー１０として機能するコンピュータに供給されることとしてもよいし、インターネット等のデータ通信手段を介して当該コンピュータに供給されることとしてもよい。
【００４５】
紹介者情報記憶部１００は、紹介者の情報を記憶する。例えば、紹介者情報記憶部１００には、紹介者をそれぞれ識別する紹介者ＩＤに関連付けて、紹介者の氏名、紹介者の口座情報を記憶した紹介者情報テーブルが記憶されることとしてよい。紹介者の口座情報に示される口座には、紹介者について算出された報酬額が振り込まれる。
【００４６】
商品紹介情報取得部１０２は、商品紹介ページのアフィリエイトモジュール５００を経由して商品が購入された場合に、受注サーバー４０から、商品ＩＤ、紹介者ＩＤ、及び指定決済利用フラグを含む商品紹介情報を受信して取得する。
【００４７】
商品紹介情報記憶部１０４は、商品紹介情報取得部１０２により取得された商品紹介情報を記憶する。
【００４８】
図１１には、商品紹介情報記憶部１０４に記憶される商品紹介情報テーブルの一例を示した。図１１に示されるように、商品紹介情報テーブルは、商品ＩＤ、紹介者ＩＤ、及び指定決済利用フラグの情報を関連づけて記憶している。なお、指定決済利用フラグは真偽値であり、真（Ｔ）である場合には指定された決済方法で商品購入が行われたことを示し、偽（Ｆ）である場合には指定された決済方法以外で商品購入が行われたことを示す。
【００４９】
報酬額算出部１０６は、商品紹介情報記憶部１０４に記憶される商品紹介情報テーブルを参照して、紹介者ＩＤ毎に、当該紹介者ＩＤに関連づけられる商品ＩＤに基づいて報酬額を算出する。例えば、報酬額算出部１０６は、商品ＩＤに関連付けられる商品価格に所定の比率を乗じた金額の総和を報酬額として算出することとしてよい。なお、商品価格に乗じる所定の比率は、指定決済利用フラグが真（Ｔ）である場合には、指定決済利用フラグが偽（Ｆ）である場合よりも高い比率を用いることとしてよい。例えば、指定決済利用フラグが偽（Ｆ）である場合の報酬比率をＡ％とすると、指定決済利用フラグが真（Ｔ）である場合には、α×Ａ％（α＞１）の報酬比率を用いることとしてよい。
【００５０】
次に、仮想商店街サーバー２０に備えられる機能について説明する。図１０に示されるように、仮想商店街サーバー２０は、商品情報記憶部２００、商品ページ要求受付部２０２、商品ページ情報生成部２０４、及び商品ページ情報送信部２０６を備える。上記各部の機能は、ＣＰＵ（Central Processing Unit）等の制御手段、半導体メモリや磁気ディスク装置等の記憶手段、ネットワークインターフェース等の通信手段を備えるコンピュータにおいて、記憶手段に記憶されるプログラムを制御手段が順次実行することにより実現されることとしてよい。プログラムは、光ディスク、磁気ディスク、磁気テープ、光磁気ディスク、フラッシュメモリ等の情報記録媒体に格納された状態で仮想商店街サーバー２０として機能するコンピュータに供給されることとしてもよいし、インターネット等のデータ通信手段を介して当該コンピュータに供給されることとしてもよい。
【００５１】
商品情報記憶部２００は、仮想商店街サーバー２０に出店する店舗が販売する商品の情報を記憶する。
【００５２】
図１２には、商品情報記憶部２００に記憶される商品情報テーブルの一例を示した。図１２に示されるように、商品情報テーブルは、商品を識別する商品ＩＤに関連づけて、商品名、商品の仕様や説明文等の説明情報、商品写真等の商品イメージＵＲＬ、商品の販売価格の情報を記憶している。
【００５３】
商品ページ要求受付部２０２は、ユーザー端末５０から商品ページの要求を受け付ける。本実施形態では、商品ページ要求受付部２０２は、商品紹介ページにおいて押下されたアフィリエイトモジュール５００のリンク情報をユーザー端末５０から受信する。なお、リンク情報には、商品ＩＤ、紹介者ＩＤ、決済方法指定データが含まれる。
【００５４】
商品ページ情報生成部２０４は、商品ページ要求受付部２０２により受け付けた商品ページの要求に応じて、商品ページデータを生成する。本実施形態では、商品ページ情報生成部２０４は、商品ページ要求受付部２０２により受け付けたリンク情報に含まれる商品ＩＤに関連づけて商品情報記憶部２００に記憶されるデータを参照して、商品ページデータを生成することとする。
【００５５】
商品ページ情報送信部２０６は、商品ページ情報生成部２０４により生成された商品ページデータを、商品ページを要求したユーザー端末５０に送信する。商品ページ情報送信部２０６は、紹介者ＩＤと決済方法指定データを、例えば商品ページデータにおけるヘッダ情報に格納してユーザー端末５０に受け渡し、ユーザー端末５０で起動されるブラウザのクッキー情報に格納することとしてよい。そして、ユーザー端末５０は、ブラウザのクッキー情報を用いてサーバーとの通信を行うことで、各サーバーに紹介者ＩＤと決済方法指定データとを受け渡すこととしてよい。
【００５６】
次に、買い物かごサーバー３０に備えられる機能について説明する。図１０に示されるように、買い物かごサーバー３０は、商品情報取得部３００、買い物かごページ情報生成部３０２、及び買い物かごページ情報送信部３０４を備える。上記各部の機能は、ＣＰＵ（Central Processing Unit）等の制御手段、半導体メモリや磁気ディスク装置等の記憶手段、ネットワークインターフェース等の通信手段を備えるコンピュータにおいて、記憶手段に記憶されるプログラムを制御手段が順次実行することにより実現されることとしてよい。プログラムは、光ディスク、磁気ディスク、磁気テープ、光磁気ディスク、フラッシュメモリ等の情報記録媒体に格納された状態で買い物かごサーバー３０として機能するコンピュータに供給されることとしてもよいし、インターネット等のデータ通信手段を介して当該コンピュータに供給されることとしてもよい。
【００５７】
商品情報取得部３００は、ユーザーが買い物かごに格納する商品の情報をユーザー端末５０から取得する。商品情報取得部３００は、ユーザー端末５０から商品ＩＤを引数として含むリンク情報と共に、紹介者ＩＤと決済方法指定データを格納したブラウザのクッキー情報をユーザー端末５０から受信して取得する。
【００５８】
買い物かごページ情報生成部３０２は、商品情報取得部３００により取得した商品ＩＤに基づいて、当該商品ＩＤにより識別される商品を格納した買い物かごデータを含む買い物かごページデータを生成する。
【００５９】
買い物かごページ情報送信部３０４は、買い物かごページ情報生成部３０２により生成された買い物かごページデータをユーザー端末５０に送信する。買い物かごページデータにおけるヘッダ情報には、紹介者ＩＤと決済方法指定データとを含むこととしてよい。
【００６０】
次に、受注サーバー４０に備えられる機能について説明する。図１０に示されるように、受注サーバー４０は、ユーザー情報記憶部４００、ユーザー認証部４０２、注文情報取得部４０４、決済情報照合部４０６、決済方法選択ページ情報生成部４０８、決済方法選択ページ情報送信部４１０、決済情報取得部４１２、注文確定部４１４、及び商品紹介情報通知部４１６を備える。上記各部の機能は、ＣＰＵ（Central Processing Unit）等の制御手段、半導体メモリや磁気ディスク装置等の記憶手段、ネットワークインターフェース等の通信手段を備えるコンピュータにおいて、記憶手段に記憶されるプログラムを制御手段が順次実行することにより実現されることとしてよい。プログラムは、光ディスク、磁気ディスク、磁気テープ、光磁気ディスク、フラッシュメモリ等の情報記録媒体に格納された状態で受注サーバー４０として機能するコンピュータに供給されることとしてもよいし、インターネット等のデータ通信手段を介して当該コンピュータに供給されることとしてもよい。
【００６１】
ユーザー情報記憶部４００は、電子商取引システム１により商品を購入する際に用いるユーザー情報を記憶する。
【００６２】
図１３には、ユーザー情報記憶部４００に記憶されるユーザー情報テーブルの一例を示した。図１３に示されるように、ユーザー情報テーブルは、ユーザーをそれぞれ識別するユーザーＩＤに関連づけて、パスワード、ユーザーの氏名、ユーザーの住所、登録された決済情報を記憶している。
【００６３】
ユーザー認証部４０２は、ユーザー端末５０から受信した認証情報に基づいてユーザー認証を行う。例えば、ユーザー認証部４０２は、ユーザー端末５０から受信したユーザーＩＤ及びパスワードの組が、ユーザー情報テーブルに記憶されるものと合致する場合に利用を許可し、そうでない場合に利用を拒否することとしてよい。なお、ユーザー認証部４０２は、ユーザー端末５０に利用を許可する許可情報を送信し、ユーザー端末５０は送信された許可情報をブラウザのクッキー情報に格納し、それ以後の認証にはブラウザのクッキー情報を用いることとしてよい。
【００６４】
注文情報取得部４０４は、ユーザー端末５０から商品の注文情報を取得する。例えば、注文情報には、商品ＩＤ及び数量の情報を含むこととしてよく、注文情報取得部４０４は、注文情報と共に、紹介者ＩＤと決済方法指定データをユーザー端末５０から受信して取得することとしてよい。
【００６５】
決済情報照合部４０６は、ユーザー認証部４０２により認証されたユーザーＩＤに関連づけてユーザー情報記憶部４００に記憶される決済情報に示される決済方法のうち、注文情報取得部４０４により取得した決済方法指定データにより指定される決済方法に一致する決済方法があるか否かを照合する。
【００６６】
決済方法選択ページ情報生成部４０８は、決済情報照合部４０６による照合結果に応じた決済方法選択ページデータを生成する。
【００６７】
決済方法選択ページ情報生成部４０８は、決済情報照合部４０６によりユーザーＩＤに予め登録される決済方法に、決済方法指定データに指定される決済方法があるとの照合結果が得られた場合には、当該決済方法指定データに指定される決済方法を選択した決済方法選択ページデータを生成することとしてよい。なお、当該生成された決済方法選択ページには、決済方法指定データに指定される決済方法以外の決済方法を表示しない、又は決済方法指定データに指定される決済方法以外の決済方法の選択を許可しないようにすることで、決済方法指定データに指定される決済方法から他の決済方法への変更を制限することとしてよい。なお、決済方法選択ページ情報生成部４０８は、決済情報照合部４０６によりユーザーＩＤに予め登録される決済方法に、決済方法指定データに指定される決済方法があるとの照合結果が得られた場合には、当該決済方法指定データに指定される決済方法による決済の実行の確認ページを生成しユーザーに提示するようにしてもよい。
【００６８】
一方で、決済方法選択ページ情報生成部４０８は、決済情報照合部４０６によりユーザーＩＤに予め登録される決済方法に、決済方法指定データに指定される決済方法がないとの照合結果が得られた場合には、当該予め登録される決済方法を選択可能とした決済方法選択ページデータを生成することとしてよい。
【００６９】
決済方法選択ページ情報送信部４１０は、決済方法選択ページ情報生成部４０８により生成された決済方法選択ページデータをユーザー端末５０に送信する。
【００７０】
決済情報取得部４１２は、決済方法選択ページ情報送信部４１０によりユーザー端末５０に送信された決済方法選択ページを介してユーザーにより選択された決済方法を示す決済情報を取得する。
【００７１】
注文確定部４１４は、決済情報取得部４１２により取得された決済情報に応じて決済方法を設定し、必要な決済処理を実行し、その実行結果に応じて注文を確定（完了）する。例えば、注文確定部４１４は、決済情報取得部４１２により取得された決済情報がクレジットカード決済である場合には、当該クレジットカードの与信情報を管理する与信情報管理サーバーに与信枠の確保を要求し、与信枠が確保された場合に、注文を確定する（成立させる）こととしてよい。また、注文確定部４１４は、決済情報取得部４１２により取得された決済情報が振込決済，口座引落決済又は電子マネー決済である場合には、預貯金口座の情報を管理する口座情報管理サーバー又は電子マネーを管理する電子マネー情報管理サーバーに決済処理を依頼し、当該決済処理の完了通知を受領した場合に、注文を確定する（成立させる）こととしてよい。また、注文確定部４１４は、決済情報照合部４０６によりユーザーＩＤに予め登録される決済方法に、決済方法指定データに指定される決済方法があるとの照合結果が得られた場合には、ユーザー情報記憶部４００から取得された決済情報を用いて当該決済方法指定データに指定される決済方法による決済処理を実行し、注文を確定することとしてもよい。
【００７２】
商品紹介情報通知部４１６は、注文確定部４１４によりユーザーから受け付けた注文が確定した後に、当該注文に係る商品ＩＤと、当該注文に係り取得した紹介者ＩＤと、当該注文に係り取得した決済方法指定データに指定される決済方法が利用されたか否かを示す指定決済利用フラグとを含む商品紹介情報をアフィリエイトサーバー１０に通知する。なお、決済方法指定データに指定される決済方法のみを受け付けることとした場合には、商品紹介情報には、決済方法指定データを含まなくともよい。
【００７３】
以上説明した本実施形態に係る電子商取引システム１によれば、紹介する商品の決済方法を指定し、指定した決済方法で商品が購入された場合に、紹介者に報酬を支払うサービスを提供することができる。この際に、商品の購入時に利用できる決済方法を、指定した決済方法に限定することもできるし、指定した決済方法以外の決済方法を利用可能とすることもできる。後者の場合には、購入者が指定した決済方法を利用した場合に、それ以外の決済方法を利用した場合よりも高い報酬比率で紹介者に報酬を支払うようにしてもよい。また、本実施形態に係る電子商取引システム１では、アフィリエイトモジュール５００を介して商品を購入するユーザーが、当該商品について指定された決済方法を利用できる場合には、速やかに決済処理を完了させることもできるし、当該ユーザーに指定された決済方法を利用するようにユーザーの選択を制限させることもできる。一方で、アフィリエイトモジュール５００を介して商品を購入するユーザーが、当該商品について指定された決済方法を利用できない場合には、当該ユーザーから受け付けた決済方法による決済処理を実行することもできる。また、本実施形態に係る電子商取引システム１では、アフィリエイトモジュール５００を介して商品を購入するユーザーが、当該商品について指定された決済方法で当該商品を購入した場合には、当該指定された決済方法以外で商品を購入した場合に比べて高い報酬をアフィリエイトモジュール５００の提供者である商品の紹介者に与えることができる。
【００７４】
本発明は上記の実施形態に限定されるものではない。例えば、上記の例では、ユーザー情報に決済方法が予め登録されている例を示した。これに対し、決済方法選択ページにおいてユーザーに決済方法指定データに指定される決済方法に係る情報（例えばクレジットカード番号，当該カードの有効期限等）の入力を求めることとしてもよい。
【００７５】
また、上記の例では、決済情報照合部４０６により決済方法指定データに指定される決済方法がユーザー情報記憶部４００にないとの照合結果が得られた場合に、予め登録される決済方法を選択可能とする例を示した。これに対し、ユーザーから受け付けた注文に係る決済方法を、当該注文に係り取得した決済方法指定データに指定される決済方法に固定し、他の決済方法への変更を制限することとしてもよい。これにより、指定された決済方法による決済を推進することができる。
【００７６】
また、上記の例では、決済方法指定データが決済方法（例えば、クレジットカード決済、銀行振込、電子マネー決済、口座引落等）のみに対応している場合の例を示した。これに対し、決済方法指定データは、上記の決済方法に加えて、さらに支払方法に対応していてもよい。例えば、決済方法指定データが、クレジットカードによる所定回数以上の分割払い、クレジットカードによるリボルビング払い（リボ払い）等に対応していてもよい。これにより、決済方法及び支払方法に応じて、紹介者に支払う報酬額をさらに柔軟に設定することができる。また、決済方法及び支払方法に応じて紹介者に支払う報酬額を設定する場合には、決済方法指定データとは別に支払方法指定データを導入してもよい。
【符号の説明】
【００７７】
１  電子商取引システム、１０  アフィリエイトサーバー、２０  仮想商店街サーバー、３０  買い物かごサーバー、４０  受注サーバー、５０  ユーザー端末、６０  ネットワーク、１００  紹介者情報記憶部、１０２  商品紹介情報取得部、１０４  商品紹介情報記憶部、１０６  報酬額算出部、２００  商品情報記憶部、２０２  商品ページ要求受付部、２０４  商品ページ情報生成部、２０６  商品ページ情報送信部、３００  商品情報取得部、３０２  買い物かごページ情報生成部、３０４  買い物かごページ情報送信部、４００  ユーザー情報記憶部、４０２  ユーザー認証部、４０４  注文情報取得部、４０６  決済情報照合部、４０８  決済方法選択ページ情報生成部、４１０  決済方法選択ページ情報送信部、４１２  決済情報取得部、４１４  注文確定部、４１６  商品紹介情報通知部、５００  アフィリエイトモジュール。
【図１】
2012014469.tif 000003
【図２】
2012014469.tif 000004
【図３】
2012014469.tif 000005
【図４】
2012014469.tif 000006
【図５】
2012014469.tif 000007
【図６】
2012014469.tif 000008
【図７Ａ】
2012014469.tif 000009
【図７Ｂ】
2012014469.tif 000010
【図８】
2012014469.tif 000011
【図９】
2012014469.tif 000012
【図１０】
2012014469.tif 000013
【図１１】
2012014469.tif 000014
【図１２】
2012014469.tif 000015
【図１３】
2012014469.tif 000016